(57)【特許請求の範囲】
【請求項１】
−  ユーザの毛髪を照明するためのキットであって、
−  ある波長（λｌ）の光を放出する少なくとも１つの発光ダイオードと、
−  前記発光ダイオードそれぞれに結合された光ファイバ（２６）と、
−  前記発光ダイオードそれぞれ、および／または、前記光ファイバをユーザの毛髪に固定するための、固定要素（２２）と、
を備えるキットにおいて、
蛍光物質（３０）を備え、前記光ファイバ（２６）が、前記発光ダイオードそれぞれによって放出された前記光を前記蛍光物質（３０）に伝導するように構成され、前記蛍光物質（３０）が、前記発光ダイオードそれぞれの前記波長（λｌ）において励起されることを特徴とするキット。
【請求項２】
−  前記蛍光物質（３０）が前記光ファイバ（２６）の内側に配置される、請求項１に記載のキット。
【請求項３】
−  前記蛍光物質（３０）が、毛髪上に施与されるものである化粧用組成物中に入れられる、請求項１または２に記載のキット。
【請求項４】
−  外部毛髪サンプル（３４）が、前記固定要素（２２）に永久的に取り付けられ、前記蛍光物質（３０）が、前記外部毛髪サンプル（３４）上に位置する、請求項１から３のいずれか一項に記載のキット。
【請求項５】
−  前記光ファイバ（２６）が、前記発光ダイオードそれぞれから到来する光を、少なくとも前記光ファイバ（２６）の長手方向区分に沿って、好ましくは前記光ファイバ（２６）の長さ全体に沿って放出する、損失ファイバである、請求項３または４に記載のキット。
【請求項６】
−  前記発光ダイオードそれぞれが、マイクロＬＥＤである、請求項１から５のいずれか一項に記載のキット。
【請求項７】
−  前記各発光ダイオードそれぞれが、３０μｍを下回る、好ましくは２０μｍを下回る、有利には１５μｍに等しい直径を有する、請求項１から６のいずれか一項に記載のキット。
【請求項８】
−  前記発光ダイオードそれぞれの最大動作電力が、５ｍＷよりも低い、請求項１から７のいずれか一項に記載のキット。
【請求項９】
−  前記各発光ダイオードそれぞれによって放出される前記光の前記波長（λｌ）が、３１５ｎｍから４２０ｎｍの間の領域内、有利には４００ｎｍから４１０ｎｍの間の領域内に含まれる、請求項１から８のいずれか一項に記載のキット。
【請求項１０】
−  前記蛍光物質（３０）が、前記発光ダイオードそれぞれの前記波長（λｌ）において励起されることの可能な少なくとも１つのフルオロフォアを備え、励起された各フルオロフォアによって放出される光が、可視領域内の波長（λｆ）を有する、請求項１から９のいずれか一項に記載のキット。
【請求項１１】
−  前記蛍光物質（３０）が、少なくとも、異なる波長（λｆ）の光を放出する第１のフルオロフォアおよび第２のフルオロフォアを備える、請求項１０に記載のキット。
【請求項１２】
−  前記発光ダイオードそれぞれに給電するための電力供給デバイス（１８）であって、フィルム電池または誘導電力源を備える電力供給デバイス（１８）を備える、請求項１から１１のいずれか一項に記載のキット。
【請求項１３】
−  ユーザの毛髪を照明するための方法であって、
−  請求項１から１２のいずれか一項に記載のキットを準備するステップと、
−  前記発光ダイオードそれぞれ、および／または前記光ファイバ（２６）を、前記固定要素（２２）を用いてユーザの毛髪に固定するステップと、
−  前記発光ダイオードそれぞれに給電し、前記発光ダイオードそれぞれによって放出された前記光を、前記光ファイバ（２６）を用いて伝導するステップと、
−  前記各発光ダイオードそれぞれによって放出され、前記光ファイバ（２６）によって伝導された前記光で、前記蛍光物質（３０）を励起するステップと、
を含む方法。
【請求項１４】
−  前記蛍光物質（３０）が、毛髪に施与されるものである化粧用組成物中に入れられ、前記方法が、前記化粧用組成物を前記ユーザの毛髪上に施与するステップを含む、請求項１３に記載の方法。
【請求項１５】
−  前記キットが、前記固定要素（２２）に永久的に取り付けられた外部毛髪サンプル（３４）を備え、前記方法が、前記外部毛髪サンプル（３４）を前記ユーザの毛髪内に取り付けるステップを含む、請求項１３または１４に記載の方法。
【発明の詳細な説明】
【技術分野】
【０００１】
本発明は、ユーザの毛髪を照明するためのキットであって、
−  ある波長の光を放出する少なくとも１つの発光ダイオードと、
−  該または各発光ダイオードに結合された光ファイバと、
−  該または各発光ダイオード、および／または光ファイバをユーザの毛髪に固定するための、固定要素と、を備える、キットに関する。
【０００２】
このキットは、ユーザの毛髪を照明するために、ユーザの毛髪に固定されるものである。
【背景技術】
【０００３】
ユーザの毛髪にいくつかのクリップを用いて取り付けられる発光ダイオードを備えた毛髪照明用デバイスが、従来技術より知られている。知られているデバイスでは、多様な長さをもつおよそ１００本のプラスチック光ファイバの束が形成され、各光ファイバは発光ダイオードに結合されている。したがって、各発光ダイオードによって放出された光が、各光ファイバの端部から出て、ユーザの毛髪上の異なる長さのところに光の点をもたらす。
【０００４】
しかし、発光ダイオードを光ファイバに結合した結果、大量の光が失われる。したがって、発光ダイオードの電力消費および必要な発光ダイオードの数は大きい。加えて、各光ファイバは、その先端においてしか照明しないので、毛髪の長さ全体に沿って光をもたらすために、さまざまな長さをもつ膨大な数の光ファイバが必要になる。したがって、この毛髪照明デバイスは、不便で、比較的重量があり、嵩張るものと思われる。
【０００５】
さらに、そのようなデバイスでは、毛髪表面の広いエリアから発出する拡散光を発生させることができない。したがって、そのような照明デバイスを用いて得られる毛髪照明には限度がある。
【発明の概要】
【発明が解決しようとする課題】
【０００６】
本発明の目的は、使って便利であり、ユーザの毛髪を照明するときの照明効果を高め、特に照明用の幅広い範囲の色を提供する、ユーザの毛髪を照明するためのキットを得ることである。
【課題を解決するための手段】
【０００７】
このために、本発明は、上述したタイプの、ユーザの毛髪を照明するためのキットに関し、このキットは、蛍光物質を備え、光ファイバが、該または各発光ダイオードによって放出された光を蛍光物質に伝導するように構成され、蛍光物質が、該または各発光ダイオードの波長において励起される。
【０００８】
本発明によるキットは、単独で、または技術的に可能な任意の組合せで考慮される、以下の特徴、
−  蛍光物質が光ファイバの内側に配置される、
−  蛍光物質が、毛髪上に施与されるものである化粧用組成物中に入れられる、
−  外部毛髪サンプルが、固定要素に永久的に取り付けられ、蛍光物質が、外部毛髪サンプル上に位置する、
−  光ファイバが、該または各発光ダイオードから到来する光を、少なくとも光ファイバの長手方向区分に沿って、好ましくは光ファイバの長さ全体に沿って放出する、損失ファイバ（lossy fiber）である、
−  該または各発光ダイオードが、マイクロＬＥＤである、
−  該または各発光ダイオードが、３０μｍを下回る、好ましくは２０μｍを下回る、有利には１５μｍに等しい直径を有する、
−  該または各発光ダイオードの最大動作電力が、５ｍＷよりも低い、
−  該または各発光ダイオードによって放出される光の波長が、３１５ｎｍから４２０ｎｍの間の領域内、有利には４００ｎｍから４１０ｎｍの間の領域内に含まれる、
−  蛍光物質が、該または各発光ダイオードの波長において励起されることの可能な少なくとも１つのフルオロフォアを備え、励起された各フルオロフォアによって放出される光が、可視領域内の波長を有する、
−  蛍光物質が、少なくとも、異なる波長の光を放出する第１のフルオロフォアおよび第２のフルオロフォアを備える、
−  該または各発光ダイオードに給電するための電力供給デバイスであって、フィルム電池または誘導電力源を備える電力供給デバイス
のうちの１つまたは複数を含んでよい。
【０００９】
本発明は、ユーザの毛髪を照明するための方法であって、
−  上で定義されたキットを準備するステップと、
−  該または各発光ダイオード、および／または光ファイバを、固定要素を用いてユーザの毛髪に固定するステップと、
−  該または各発光ダイオードに給電し、該または各発光ダイオードによって放出された光を、光ファイバを用いて伝導するステップと、
−  該または各発光ダイオードによって放出され、光ファイバによって伝導された光で、蛍光物質を励起するステップと
を含む方法にも関する。
【００１０】
本発明による方法は、単独で、または技術的に可能な任意の組合せで考慮される、以下の特徴、
−  蛍光物質が、毛髪上に施与されるものである化粧用組成物中に入れられ、方法が、化粧用組成物をユーザの毛髪上に施与するステップを含む、
−  キットが、固定要素に永久的に取り付けられた外部毛髪サンプルを備え、方法が、外部毛髪サンプルをユーザの毛髪内に取り付けるステップを含む
のうちの１つまたは複数を含んでよい。
【００１１】
本発明は、単に一例として、添付の図面を参照して行われる以下の説明に鑑みて、より容易に理解されよう。
【図面の簡単な説明】
【００１２】
【図１】本発明の第１の実施形態によるキットの概略図である。
【図２】本発明の第２の実施形態によるキットの概略図である。
【図３】本発明の第３の実施形態によるキットの概略図である。
【発明を実施するための形態】
【００１３】
本発明の第１の実施形態によるユーザの毛髪を照明するためのキット１０を、図１上に示す。
【００１４】
キット１０は、ユーザの毛髪を、その波長が可視領域内に含まれる光で照明するものである。波長に関する「可視領域」とは、３８０ナノメートル（ｎｍ）から７８０ｎｍまでの波長領域と理解される。
【００１５】
図１上に示すように、キット１０は、発光ダイオードのアレイ１４と、発光ダイオードのアレイ１４に給電するための電力供給デバイス１８と、発光ダイオードのアレイ１４をユーザの毛髪に固定するための、固定要素２２とを備える。キット１０はさらに、発光ダイオードのアレイ１４によって放出された光を伝導するための光ファイバ２６と、蛍光物質３０とを備える。
【００１６】
発光ダイオードのアレイ１４は、光ビームを発生させるように構成される。
【００１７】
発光ダイオードのアレイ１４は、少なくとも１つの発光ダイオードを備える。「発光ダイオード」とは、電流によって活性化されると光を放出することの可能な光電子構成要素（opto-electronic component）と理解される。
【００１８】
有利には、発光ダイオードのアレイ１４は、２つ以上の発光ダイオードを備える。発光ダイオードの数は、必要な明るさ、および発光ダイオードの電力消費に応じて変わる。本実施形態では、発光ダイオードのアレイ１４は、１１個以上の発光ダイオード、特に１８個の発光ダイオードを備える。
【００１９】
発光ダイオードのアレイ１４の発光ダイオードは、好ましくは同一である。
【００２０】
各発光ダイオードは、実質的に単色の光を発生させることが可能である。「実質的に単色の光」という用語とは、その放射の波長領域が３０ｎｍよりも小さい光と理解される。
【００２１】
各発光ダイオードによって発生される光の波長λｌは、可視領域または近紫外領域（ＵＶＡと略記される）に属する。波長に関する「近紫外領域」とは、３１５ｎｍから３８０ｎｍまでの波長領域と理解される。換言すれば、各発光ダイオードによって放出される光は、３１５ｎｍから７８０ｎｍの間に含まれる波長λｌを有する。好ましくは、各発光ダイオードによって放出される光は、４００ｎｍから４１０ｎｍの間に含まれる波長λｌを有する。有利には、各発光ダイオードによって放出される光は、４０５ｎｍに等しい波長λｌを有する。
【００２２】
さらに、各発光ダイオードによって放出される光ビームは、所与の距離にわたって、例えば１ミリメートル（ｍｍ）にわたって、平行化することができる。光ビームに関して「平行化される」とは、その光線が所与の距離にわたって、例えば１ｍｍにわたって、平行であるか、または３０°未満の角度の開き内にある、光ビームと理解される。
【００２３】
各発光ダイオードは、マイクロＬＥＤである。「マイクロＬＥＤ」とは、マイクロメートル（μｍ）の大きさ程度の直径を有する発光ダイオードと理解される。
【００２４】
各マイクロＬＥＤの直径は、３０μｍを下回り、好ましくは２０μｍを下回り、有利には１５μｍに等しい。
【００２５】
各マイクロＬＥＤは、動作するのにほとんど電力を必要としない。各マイクロＬＥＤの最大動作電力は、実際、５ミリワット（ｍＷ）を下回る。そのような低電力により、マイクロＬＥＤへの給電のために小型電池を使用することが可能になる。
【００２６】
電力供給デバイス１８は、発光ダイオードのアレイ１４に給電するものである。
【００２７】
発光ダイオードのアレイ１４が低電力を必要とするので、電力供給デバイスは、好ましくは低電力源、すなわち５ｍＷよりも低い電力を供給する供給源である。
【００２８】
電力供給デバイス１８は、例えばフィルム電池を備える。「フィルム電池」とは、その厚さがミリメートルの大きさ程度のものである電池と理解される。フィルム電池は、例えば、リチウムイオン電池を備える。
【００２９】
有利には、フィルム電池は、発光ダイオードのアレイ１４の上またはその下に位置することができる。
【００３０】
フィルム電池は、例えば、企業Ｅｎｆｕｃｅｌｌによって製造されたＳｏｆｔＢａｔｔｅｒｙ（登録商標）である。
【００３１】
一変形形態では、電力供給デバイス１８が、例えば、可変な電磁場に晒されると電力を発生させる、誘導電力源を備える。誘導電力源は、例えば、無線周波数誘導デバイス、すなわち、近接場における電磁誘導という手段によって、無線周波数磁場を使用してエネルギーを伝導するデバイスである。
【００３２】
固定要素２２は、発光ダイオードのアレイ１４および／または光ファイバ２６をユーザの毛髪に固定するものである。
【００３３】
固定要素２２は、次の群、クリップ、バレッタ、ストリップ、またはヘアゴムの中から選択することができる。
【００３４】
一変形形態では、固定要素２２は、外部毛髪サンプルに永久的に取り付けられてよい。外部毛髪サンプルは、ユーザの頭皮に植え込まれていない毛髪房である。毛髪房の毛髪は、人工の毛髪または本物の毛髪のいずれかとすることができる。
【００３５】
光ファイバ２６は、発光ダイオードのアレイ１４に結合される。換言すれば、発光ダイオードのアレイ１４から到来する光ビームは、光ファイバ２６に直接入射される。
【００３６】
光ファイバ２６は、１センチメートル（ｃｍ）から１５０ｃｍの間、特に１ｃｍから５０ｃｍの間に含まれる長さを有する。
【００３７】
光ファイバ２６は、光を光ファイバ２６の長さ全体を通って導波するための導波コアと、クラッドとを備える。
【００３８】
本発明の第１の実施形態では、図１上に示すように、蛍光物質３０が光ファイバ２６の導波コアの内側に配置されており、したがって、光ファイバ２６は蛍光光ファイバである。「蛍光光ファイバ」とは、所与の波長領域内の光によって励起されることの可能な少なくとも１つのフルオロフォアを備える光ファイバと理解される。
【００３９】
蛍光ファイバは、例えば、アクリルで取り囲まれたポリスチレンから作成され、蛍光物質３０は、蛍光ファイバのコア内に位置する。
【００４０】
蛍光ファイバは、例えば、企業Ｏｐｔｉｃ  Ｐｒｏｄｕｃｔｓ，  Ｉｎｃ．  Ｃｌｅａｒｌａｋｅ  Ｏａｋｓ、ＣＡ  ９５４２３、Ｃａｌｉｆｏｒｎｉａ、ＵＳＡによって製造されたファイバである。
【００４１】
光ファイバ２６は、各発光ダイオードによって放出された光をそのコアを通って蛍光物質３０に伝導するように構成される。
【００４２】
蛍光物質３０は、発光ダイオードの波長λｌにおいて励起されるように構成される。光ファイバ２６内で光が蛍光物質３０に達すると、蛍光物質３０はその光を吸収して、発光ダイオードによって放出された光の波長λｌとは別の波長λｆの光を再放出することが可能である。
【００４３】
蛍光物質３０は、有利には、少なくとも１つのフルオロフォアを備える。「フルオロフォア」とは、光励起時に光を再放出することのできる蛍光化合物と理解される。
【００４４】
好ましくは、蛍光物質３０は、複数のフルオロフォアを備える。
【００４５】
各フルオロフォアは、発光ダイオードのアレイ１４によって放出された波長λｌにおいて励起されることが可能である。各フルオロフォアによって放出される光は、可視領域内の波長λｆを有する。
【００４６】
本発明の第１の実施形態によるユーザの毛髪を照明するための方法について、次に説明する。
【００４７】
最初に、毛髪照明方法は、上で説明したキット１０を準備するステップを含む。発光ダイオードのアレイ１４には給電されず、光ファイバ２６は照明されない。
【００４８】
次いで、毛髪照明方法は、発光ダイオードのアレイ１４および／または光ファイバ２６を、固定要素２２を用いてユーザの毛髪に固定するステップを含む。
【００４９】
毛髪照明方法はさらに、発光ダイオードのアレイ１４に、電力供給デバイス１８を用いて給電し、それにより、アレイ１４が波長λｌの光を放出するステップを含む。
【００５０】
光ファイバ２６が蛍光ファイバであるとき、毛髪照明方法は、発光ダイオードのアレイ１４によって放出された光を、光ファイバ２６を通って光ファイバ２６の端部に伝導するステップを含む。このステップの間、光ファイバ２６のコア内に存在する蛍光物質３０のフルオロフォアが、発光ダイオードのアレイ１４によって波長λｌにおいて放出された光によって、励起される。次いで、励起された各フルオロフォアが、可視領域内の波長λｆの光を放出する。
【００５１】
このようにして、図１上に示すように、光ファイバ２６全体が、可視領域内の波長λｆを有する光で照明される。
【００５２】
図２上に示す本発明の第２の実施形態によれば、本発明の第１の実施形態のキット１０と同一の要素については再度説明しない。差異のみをハイライトする。
【００５３】
本発明のこの第２の実施形態では、外部毛髪サンプル３４が、固定要素２２に永久的に取り付けられる。外部毛髪サンプル３４は、ユーザの頭皮に植え込まれていない毛髪房である。毛髪房の毛髪は、人工の毛髪または本物の毛髪のいずれかとすることができる。
【００５４】
光ファイバ２６は、蛍光ファイバではない。光ファイバ２６は、発光ダイオードのアレイ１４から到来する光を、光ファイバ２６の反対端部に伝導することの可能な、標準的なファイバである。光ファイバ２６は、発光ダイオードのアレイ１４によって放出された光を、光ファイバ２６の長さ全体に沿って伝導するものである。
【００５５】
蛍光物質３０は、ユーザの毛髪上に直接施与されるか、または固定要素２２に取り付けられた外部毛髪サンプル３４上に施与されるものである、化粧用組成物中に含まれる。
【００５６】
蛍光物質３０のフルオロフォアは、同一であるか、または異なっている。蛍光物質３０のフルオロフォアが同一であるとき、励起されたフルオロフォアは、単一波長λｆの光を放出する。蛍光物質３０の一部のフルオロフォアが異なっているとき、少なくとも第１のフルオロフォアおよび第２のフルオロフォアが、異なる波長λｆの光を放出する。
【００５７】
各フルオロフォアは、例えば、ナフタルイミド、クマリン、キサンテノジキノリジン、アザキサンテン、ナフトラクタム、アズラクトン、オキサジン、チアジン、ジオキサジン、ピレン、およびニトロベンゾオキサジアゾールから成る群の中で選択される系に属する。
【００５８】
蛍光物質３０は、光ファイバ２６の出口に位置する外部毛髪サンプル３４上に施与される。
【００５９】
本発明の第２の実施形態によるユーザの毛髪を照明するための方法は、外部毛髪サンプル３４をユーザの毛髪上に取り付けるステップを含むという点で、第１の実施形態とは異なる。
【００６０】
さらに、方法は、発光ダイオードのアレイ１４から到来する光を、光ファイバ２６を通って光ファイバ２６の反対端部に伝導するステップも含む。このステップの間、ユーザの毛髪サンプル上に施与された蛍光物質３０のフルオロフォアが、光ファイバ２６によって放出された光によって励起される。図２上に示すように、励起されたフルオロフォアは、光ファイバ２６の出口付近に位置する。次いで、励起された各フルオロフォアが、可視領域内の波長λｆの光を放出する。
【００６１】
フルオロフォアによって放出される光は、フルオロフォアのタイプに応じて、可視領域内の１つまたは複数の波長λｆを有する。実際、２つの異なるフルオロフォアであれば、可視領域内の異なる波長λｆの光を放出し得る。「フルオロフォアのタイプ」とは、フルオロフォアが属する分類と理解され、同じ分類のフルオロフォアは、励起されると所与の波長の光を放出することが可能である。
【００６２】
その結果、ユーザの毛髪の位置決めされたエリア内で、外部毛髪サンプル３４の一部分が照明される。
【００６３】
本発明の第３の実施形態によれば、本発明の第２の実施形態のキット１０と同一の要素については再度説明しない。差異のみをハイライトする。
【００６４】
第３の実施形態では、外部毛髪サンプルが固定要素２２に取り付けられない。蛍光物質３０は、光ファイバ２６の出口に位置するユーザの毛髪上に直接施与される。
【００６５】
第３の実施形態によるユーザの毛髪を照明するための方法は、第２の実施形態の方法と同一である。
【００６６】
その結果、ユーザの毛髪の位置決めされたエリア内で、ユーザの毛髪の一部分が照明される。
【００６７】
図３上に示す本発明の第４の実施形態によれば、本発明の第２の実施形態のキット１０と同一の要素については再度説明しない。差異のみをハイライトする。
【００６８】
本発明のこの第４の実施形態では、光ファイバ２６が標準的なファイバではない。光ファイバ２６は、損失ファイバである。「損失ファイバ」とは、光を光ファイバの長手方向区分に沿って放出することの可能な光ファイバと理解され、放出される光は、光ファイバに入る光と同じ波長λｌである。好ましくは、損失ファイバは、光を損失ファイバの長さ全体に沿って放出することが可能である。
【００６９】
蛍光物質３０が、外部毛髪サンプル３４の全表面上に施与され、光ファイバ２６の出口に位置する外部毛髪サンプルの表面上のみに施与されるのではない。
【００７０】
本発明の第４の実施形態によるユーザの毛髪を照明するための方法は、発光ダイオードのアレイ１４によって放出された光と同じ波長λｌの光を光ファイバ２６の長手方向区分に沿って放出するステップを含むという点で、第２の実施形態とは異なる。光は、有利には、光ファイバ２６の長さ全体に沿って放出される。
【００７１】
このステップの間、外部毛髪サンプル３４上に施与された蛍光物質３０のフルオロフォアが、光ファイバ２６によって放出された光によって励起される。励起されたフルオロフォアは、光ファイバ２６の長手方向区分付近および／または光ファイバ２６付近に位置するフルオロフォアである。次いで、励起された各フルオロフォアが、可視領域内の波長λｆの光を放出する。
【００７２】
したがって、外部毛髪サンプル３４は、光ファイバ２６の長手方向区分の全長上または光ファイバ２６の全長上で照明される。図３上に示すように、したがって、毛髪房をその長さ全体上で照明することが可能である。
【００７３】
本発明の第５の実施形態によれば、本発明の第４の実施形態のキット１０と同一の要素については再度説明しない。差異のみをハイライトする。
【００７４】
第５の実施形態では、外部毛髪サンプルが固定要素２２に取り付けられない。蛍光物質３０は、光ファイバ２６の両側に位置するユーザの毛髪の長さ全体上、またはユーザの毛髪のエリア全体上に、直接施与される。
【００７５】
ユーザの毛髪を照明するための方法は、ユーザの毛髪上に蛍光物質３０を含有する化粧用組成物を施与する初期ステップを含む。
【００７６】
第５の実施形態によるユーザの毛髪を照明するための方法は、第４の実施形態の方法と同一である。
【００７７】
したがって、ユーザの毛髪は、光ファイバ２６の長手方向区分の全長上または光ファイバ２６の全長上で照明される。
【００７８】
したがって、キット１０は、ユーザの毛髪を幅広い範囲の色で照明するように構成される。実際、利用可能な色の範囲は、蛍光物質３０のフルオロフォアのタイプのみに応じて変わる。したがって、蛍光物質３０のフルオロフォアのタイプのみに応じて、ユーザの毛髪を複数の色で同時に照明することが可能である。さらに、照明の色がフルオロフォアのタイプのみに応じて変わるので、異なる波長λｌの光を放出する発光ダイオードを使用する必要がない。約４０５ｎｍの波長λｌの光を放出する発光ダイオードであれば、異なる波長λｆにおいて放出する広範囲の異なるフルオロフォアを、単一波長の光で励起することが可能である。
【００７９】
したがって、キット１０により、どんな色も、１つのキット１０を用いて、照明される毛髪の表面に沿って発光ダイオードを埋め込む必要なく、簡単に生み出せるようになる。
【００８０】
キット１０により、１本の光ファイバ２６を使用してユーザの毛髪の広いエリア上に光を発生させることも可能になり、一方、従来技術のデバイスは、複数の光ファイバ２６の端部でしか光を発生させない。さらに、キット１０により、ユーザの毛髪上で拡散色効果（ｄｉｆｆｕｓｅ  ｃｏｌｏｒｅｄ  ｅｆｆｅｃｔ）を得られるようになる。
【００８１】
マイクロＬＥＤの使用により、キット１０の重量と電力消費の両方を低減させることが可能になる。したがって、マイクロＬＥＤへの給電のために小型の電力供給デバイス１８を選択することができる。したがって、キット１０は、従来技術のデバイスよりも簡便で、従来技術のデバイスほど嵩張らないものと思われる。
【００８２】
したがって、従来技術のデバイスと比較して、ユーザの毛髪を照明するためのキット１０は、使用がより簡便であり、ユーザの毛髪を照明するときにより自然な効果をもたらす。
【符号の説明】
【００８３】
１０  キット
１４  アレイ
１８  電力供給デバイス
２２  固定要素
２６  光ファイバ
３０  蛍光物質
３４  外部毛髪サンプル
【図１】
0006377283.tif 000002
【図２】
0006377283.tif 000003
【図３】
0006377283.tif 000004